(57)【要約】  【課題】  送信端末と受信端末との間にある中継制御装置が、制御情報を受け渡すための共通のシグナリング等の手順を実装していない場合、端末間での制御情報の受け渡しができない。  【解決手段】  フロー識別情報と制御情報として例えば要求帯域情報がヘッダのフローラベルに記述された受信パケットから、フロー情報抽出部１０２がフロー情報を抽出し、制御情報抽出部１０５がフローラベルに記述された制御情報として例えば要求帯域情報を抽出し、制御部１０６がその要求帯域情報を用いて送信パケットに対して出力タイミングを制御する。予めシグナリング等の方法により事前に制御情報を入手しておくことなく、制御部１０６が受信パケットの制御情報に基づいて送信パケットに対する制御を行うことができる。【選択図】  図１
2005323164.tif 000002
【特許請求の範囲】
【請求項１】
受信パケットのフロー識別情報を抽出するフロー識別情報抽出手段と、前記受信パケットのフローラベルに記述された制御情報を抽出する制御情報抽出手段と、前記受信パケットのフロー識別情報に対応した制御情報を用いて送信パケットに対する制御を行う制御手段と、前記受信パケットから抽出したフロー識別情報およびフロー識別情報に対応する制御情報を格納する格納手段と、前記格納手段が格納する情報の検索および前記格納手段への情報の格納の管理を行う管理手段と、前記制御手段が出力したパケットを送信するパケット送信手段とを備えた中継制御装置。
【請求項２】
フローラベルを用いたパケットを中継制御装置を介して送受信する端末装置であって、パケットヘッダのフローラベルにフロー識別情報と制御情報が記述されたパケットを前記中継制御装置へ送信するパケット送信手段と、パケットヘッダのフローラベルにフロー識別情報と制御情報が記述されたパケットを前記中継制御装置から受信するパケット受信手段とを備えた端末装置。
【請求項３】
請求項１記載の中継制御装置と請求項２記載の端末装置とをそれぞれ１つ以上備えたネットワークシステム。
【請求項４】
前記制御情報として要求帯域情報がフローラベルに記述され、前記制御情報抽出手段が前記要求帯域情報を抽出し、前記制御手段が前記要求帯域情報を用いて送信パケットに対する出力タイミングを制御することを特徴とする請求項１記載の中継制御装置。
【請求項５】
前記パケットヘッダのフローラベルに前記制御情報として要求帯域情報が記述されていることを特徴とする請求項２記載の端末装置。
【請求項６】
請求項４記載の中継制御装置と請求項５記載の端末装置とをそれぞれ１つ以上備えたネットワークシステム。
【請求項７】
前記制御情報として許容遅延情報がフローラベルに記述され、前記制御情報抽出手段が前記許容遅延情報を抽出し、前記制御手段が前記許容遅延情報を用いて送信パケットに対する出力タイミングを制御することを特徴とする請求項１記載の中継制御装置。
【請求項８】
前記パケットヘッダのフローラベルに前記制御情報として許容遅延情報が記述されていることを特徴とする請求項２記載の端末装置。
【請求項９】
請求項７記載の中継制御装置と請求項８記載の端末装置とをそれぞれ１つ以上備えたネットワークシステム。
【請求項１０】
前記制御情報として許容遅延揺らぎ情報がフローラベルに記述され、前記制御情報抽出手段が前記許容遅延揺らぎ情報を抽出し、前記制御手段が前記許容遅延揺らぎ情報を用いて送信パケットに対する出力タイミングを制御することを特徴とする請求項１記載の中継制御装置。
【請求項１１】
前記パケットヘッダのフローラベルに前記制御情報として許容遅延揺らぎ情報が記述されていることを特徴とする請求項２に記載の端末装置。
【請求項１２】
請求項１０記載の中継制御装置と請求項１１記載の端末装置とをそれぞれ１つ以上備えたネットワークシステム。
【請求項１３】
前記受信パケットのフローラベルに制御命令と制御データが記述され、前記制御情報抽出手段が前記制御命令と前記制御データを抽出し、前記制御手段が前記制御命令と制御データを用いて送信パケットに対する制御を行うことを特徴とする請求項１記載の中継制御装置。
【請求項１４】
前記パケットヘッダのフローラベルに制御命令と制御データが記述されていることを特徴とする請求項２記載の端末装置。
【請求項１５】
請求項１３記載の中継制御装置と請求項１４記載の端末装置とをそれぞれ１つ以上備えたネットワークシステム。
【請求項１６】
前記受信パケットのフローラベルに制御データとして要求帯域情報が記述され、前記制御手段が前記要求帯域情報を用いて送信パケットに対する出力タイミングを制御することを特徴とする請求項１３記載の中継制御装置。
【請求項１７】
前記パケットヘッダのフローラベルに制御データとして要求帯域情報が記述されていることを特徴とする請求項１４記載の端末装置。
【請求項１８】
請求項１６記載の中継制御装置と請求項１７記載の端末装置とをそれぞれ１つ以上備えたネットワークシステム。
【請求項１９】
前記受信パケットのフローラベルに制御データとして許容遅延データが記述され、前記制御手段が前記許容遅延データを用いて送信パケットに対する出力タイミングを制御することを特徴とする請求項１３記載の中継制御装置。
【請求項２０】
前記パケットヘッダのフローラベルに制御データとして許容遅延データが記述されていることを特徴とする請求項１４記載の端末装置。
【請求項２１】
請求項１９記載の中継制御装置と請求項２０記載の端末装置とをそれぞれ１つ以上備えたネットワークシステム。
【請求項２２】
前記受信パケットのフローラベルに制御データとして許容遅延揺らぎデータが記述され、前記制御手段が前記許容遅延揺らぎデータを用いて送信パケットに対する出力タイミングを制御することを特徴とする請求項１３記載の中継制御装置。
【請求項２３】
前記パケットヘッダのフローラベルに許容遅延揺らぎデータが記述されていることを特徴とする請求項１４記載の端末装置。
【請求項２４】
請求項２２記載の中継制御装置と請求項２３記載の端末装置とをそれぞれ１つ以上備えたネットワークシステム。
【請求項２５】
前記管理手段が、前記格納手段に対して受信パケットから抽出したフロー識別情報と制御情報の格納および一致検索を行うとともに、検索した結果一致した情報を前記制御手段に通知し、前記制御手段が、通知されたフロー識別情報に該当するパケットに対して前記制御情報を用いて制御を行うことを特徴とする請求項１記載の中継制御装置。
【請求項２６】
請求項２５記載の中継制御装置を１つ以上備えたネットワークシステム。
【請求項２７】
前記管理手段が、前記格納手段に対して受信パケットから抽出したフロー識別情報と制御命令と制御データの格納および一致検索を行うとともに、検索した結果一致した情報を前記制御手段に通知し、前記制御手段が、通知されたフロー識別情報に該当するパケットに対して、前記制御命令と前記制御データを用いて制御を行うことを特徴とする請求項１３記載の中継制御装置。
【請求項２８】
請求項２７記載の中継制御装置を１つ以上備えたネットワークシステム。
【発明の詳細な説明】
【技術分野】
【０００１】
本発明は、ＴＣＰ／ＩＰによるネットワーク技術分野に属するフローラベルを用いた中継制御装置と端末装置とネットワークシステムに関し、特にフローラベルに記述されたパケット制御情報を用いて帯域制御等を行う機能を有し、エンド−エンドの端末装置間におけるフロー単位の品質を保証する中継制御装置に関する。
【背景技術】
【０００２】
従来のフローラベルを用いた中継制御装置としては、少なくともフローラベルと送信元アドレスと宛先アドレスを格納するヘッダ部を持つパケットを受信し、受信パケットのフローラベルと送信元アドレスからサービス属性テーブルを参照し、フローラベルと送信元アドレスが登録されている場合には該当するサービスを提供し、フローラベルと送信元アドレスが登録されていない場合には、受信パケットを解析して決定したサービス内容をフローラベルと送信元アドレスと併せてサービス属性テーブルに登録することで、上位レイヤのデータが固定位置に存在しないＩＰｖ６プロトコルであつても、パケットの属するサービス属性を決定するための処理負荷を軽減するものが知られている（例えば、特許文献１参照）。
【０００３】
図５は、上記特許文献１に記載された従来のフローラベルを用いた中継制御装置の構成を示すものである。図５において、パソコン１１は、フローラベルと送信元アドレスと宛先アドレスを格納するヘッダ部を持つパケットを送信し、ルータ１２は、受信パケットのフローラベルと送信元アドレスからサービス属性テーブルを参照し、フローラベルと送信元アドレスが登録されている場合には該当するサービスを提供し、フローラベルと送信元アドレスが登録されていない場合には、受信パケットを解析して決定したサービス内容をフローラベルと送信元アドレスと併せて登録していた。
【特許文献１】特開２０００−１７４８１１号公報
【発明の開示】
【発明が解決しようとする課題】
【０００４】
しかしながら、従来のフローラベルを用いた中継制御装置においては、送信端末と受信端末との間にある中継制御装置が、制御情報を受け渡すための共通のシグナリング等の手順を実装していない場合、制御情報の受け渡しができないという問題があった。
【０００５】
本発明は、上記従来の問題を解決することのできる優れた中継制御装置と端末装置とネットワークシステムを提供することを目的とする。
【課題を解決するための手段】
【０００６】
上記従来の課題を解決するために、本発明の中継制御装置は、受信パケットのフロー識別情報を抽出するフロー識別情報抽出手段と、前記受信パケットのフローラベルに記述された制御情報を抽出する制御情報抽出手段と、前記受信パケットのフロー識別情報に対応した制御情報を用いて送信パケットに対する制御を行う制御手段と、前記受信パケットから抽出したフロー識別情報およびフロー識別情報に対応する制御情報を格納する格納手段と、前記格納手段が格納する情報の検索および前記格納手段への情報の格納の管理を行う管理手段と、前記制御手段が出力したパケットを送信するパケット送信手段とを備えた構成を有している。
【０００７】
本構成によって、予めシグナリング等の方法により事前に制御情報を入手しておくことなく、制御情報抽出手段が受信パケットのフローラベルに記述された制御情報を抽出して制御手段に通知し、制御手段が制御情報に従い送信パケットに対する制御を行うことができる。
【０００８】
また、本発明の端末装置は、フローラベルを用いたパケットを中継制御装置を介して送受信する端末装置であって、パケットヘッダのフローラベルにフロー識別情報と制御情報が記述されたパケットを前記中継制御装置へ送信するパケット送信手段と、パケットヘッダのフローラベルにフロー識別情報と制御情報が記述されたパケットを前記中継制御装置から受信するパケット受信手段とを備えたものであり、フロー識別情報に対応した制御情報を用いて制御されたパケットを中継制御装置から受信することができる。
【０００９】
また、本発明は、上記の中継制御装置と端末装置とをそれぞれ１つ以上備えたネットワークシステムであり、中継制御装置が、制御情報を受け渡すための共通のシグナリング等の手順を実装していない場合でも、制御情報の受け渡しができ、端末装置間におけるフロー単位の品質を保証することができる。
【００１０】
また、本発明の中継制御装置は、前記制御情報として要求帯域情報がフローラベルに記述され、前記制御情報抽出手段が前記要求帯域情報を抽出し、前記制御手段が前記要求帯域情報を用いて送信パケットに対する出力タイミングを制御することを特徴とするものであり、要求帯域情報を用いて送信パケットに対する出力タイミングを制御することができる。
【００１１】
また、本発明の端末装置は、前記パケットヘッダのフローラベルに前記制御情報として要求帯域情報が記述されていることを特徴とするものであり、要求帯域情報を用いて出力タイミングが制御されたパケットを受信することができる。
【００１２】
また、本発明は、上記の中継制御装置と端末装置とをそれぞれ１つ以上備えたネットワークシステムであり、要求帯域情報を用いて端末装置間におけるフロー単位の品質を保証することができる。
【００１３】
また、本発明の中継制御装置は、前記制御情報として許容遅延情報がフローラベルに記述され、前記制御情報抽出手段が前記許容遅延情報を抽出し、前記制御手段が前記許容遅延情報を用いて送信パケットに対する出力タイミングを制御することを特徴とするものであり、許容遅延情報を用いて送信パケットに対する出力タイミングを制御することができる。
【００１４】
また、本発明の端末装置は、前記パケットヘッダのフローラベルに前記制御情報として許容遅延情報が記述されていることを特徴とするものであり、許容遅延情報を用いて出力タイミングが制御されたパケットを受信することができる。
【００１５】
また、本発明は、上記の中継制御装置と端末装置とをそれぞれ１つ以上備えたネットワークシステムであり、許容遅延情報を用いて端末装置間におけるフロー単位の品質を保証することができる。
【００１６】
また、本発明の中継制御装置は、前記制御情報として許容遅延揺らぎ情報がフローラベルに記述され、前記制御情報抽出手段が前記許容遅延揺らぎ情報を抽出し、前記制御手段が前記許容遅延揺らぎ情報を用いて送信パケットに対する出力タイミングを制御することを特徴とするものであり、許容遅延揺らぎ情報を用いて送信パケットに対する出力タイミングを制御することができる。
【００１７】
また、本発明の端末装置は、前記パケットヘッダのフローラベルに前記制御情報として許容遅延揺らぎ情報が記述されていることを特徴とするものであり、許容遅延揺らぎ情報を用いて出力タイミングが制御されたパケットを受信することができる。
【００１８】
また、本発明は、上記の中継制御装置と端末装置とをそれぞれ１つ以上備えたネットワークシステムであり、許容遅延揺らぎ情報を用いて端末装置間におけるフロー単位の品質を保証することができる。
【００１９】
また、本発明の中継制御装置は、前記受信パケットのフローラベルに制御命令と制御データが記述され、前記制御情報抽出手段が前記制御命令と前記制御データを抽出し、前記制御手段が前記制御命令と制御データを用いて送信パケットに対する制御を行うことを特徴とするものであり、制御命令と制御データを用いて送信パケットに対する制御を行うことができる。
【００２０】
また、本発明の端末装置は、前記パケットヘッダのフローラベルに制御命令と制御データが記述されていることを特徴とするものであり、制御命令と制御データを用いて制御されたパケットを中継制御装置から受信することができる。
【００２１】
また、本発明は、上記の中継制御装置と端末装置とをそれぞれ１つ以上備えたネットワークシステムであり、制御命令と制御データを用いて端末装置間におけるフロー単位の品質を保証することができる。
【００２２】
また、本発明の中継制御装置は、前記受信パケットのフローラベルに制御データとして要求帯域情報が記述され、前記制御手段が前記要求帯域情報を用いて送信パケットに対する出力タイミングを制御することを特徴とするものであり、要求帯域情報を用いて送信パケットに対する出力タイミングを制御することができる。
【００２３】
また、本発明の端末装置は、前記パケットヘッダのフローラベルに制御データとして要求帯域情報が記述されていることを特徴とするものであり、要求帯域情報を用いて出力タイミングを制御されたパケットを受信することができる。
【００２４】
また、本発明は、上記の中継制御装置と端末装置とをそれぞれ１つ以上備えたネットワークシステムであり、要求帯域情報を用いて端末装置間におけるフロー単位の品質を保証することができる。
【００２５】
また、本発明の中継制御装置は、前記受信パケットのフローラベルに制御データとして許容遅延データが記述され、前記制御手段が前記許容遅延データを用いて送信パケットに対する出力タイミングを制御することを特徴とするものであり、許容遅延データを用いて送信パケットに対する出力タイミングを制御することができる。
【００２６】
また、本発明の端末装置は、前記パケットヘッダのフローラベルに制御データとして許容遅延データが記述されていることを特徴とするものであり、許容遅延データを用いて出力タイミングを制御されたパケットを受信することができる。
【００２７】
また、本発明は、上記の中継制御装置と端末装置とをそれぞれ１つ以上備えたネットワークシステムであり、許容遅延データを用いて端末装置間におけるフロー単位の品質を保証することができる。
【００２８】
また、本発明の中継制御装置は、前記受信パケットのフローラベルに制御データとして許容遅延揺らぎデータが記述され、前記制御手段が前記許容遅延揺らぎデータを用いて送信パケットに対する出力タイミングを制御することを特徴とするものであり、許容遅延揺らぎデータを用いて送信パケットに対する出力タイミングを制御することができる。
【００２９】
また、本発明の端末装置は、前記パケットヘッダのフローラベルに許容遅延揺らぎデータが記述されていることを特徴とするものであり、許容遅延揺らぎデータを用いて出力タイミングを制御されたパケットを受信することができる。
【００３０】
また、本発明は、上記の中継制御装置と端末装置とをそれぞれ１つ以上備えたネットワークシステムであり、許容遅延揺らぎデータを用いて端末装置間におけるフロー単位の品質を保証することができる。
【００３１】
また、本発明の中継制御装置は、前記管理手段が、前記格納手段に対して受信パケットから抽出したフロー識別情報と制御情報の格納および一致検索を行うとともに、検索した結果一致した情報を前記制御手段に通知し、前記制御手段が、通知されたフロー識別情報に該当するパケットに対して前記制御情報を用いて制御を行うことを特徴とするものであり、受信パケットから抽出したフロー識別情報と制御情報の格納および一致検索を行うことができる。
【００３２】
また、本発明は、上記の中継制御装置を１つ以上備えたネットワークシステムであり、フロー識別情報と制御情報の管理を行うことで、端末装置間におけるフロー単位の品質を保証することができる。
【００３３】
また、本発明の中継制御装置は、前記管理手段が、前記格納手段に対して受信パケットから抽出したフロー識別情報と制御命令と制御データの格納および一致検索を行うとともに、検索した結果一致した情報を前記制御手段に通知し、前記制御手段が、通知されたフロー識別情報に該当するパケットに対して、前記制御命令と前記制御データを用いて制御を行うことを特徴とするものであり、受信パケットから抽出したフロー識別情報と制御命令と制御データの格納および一致検索を行うことができる。
【００３４】
また、本発明の中継制御装置は、請求項２７記載の中継制御装置を１つ以上備えたネットワークシステムであり、フロー識別情報と制御命令と制御データの管理を行うことで、端末装置間におけるフロー単位の品質を保証することができる。
【発明の効果】
【００３５】
以上のように本発明は、事前に制御情報を入手するためのシグナリング手順を端末および中継制御装置に設けることにより発生する処理負荷を低減させることができ、また、制御情報を入手するためのシグナリング手順に用いるパケットの発生を無くすことにより、伝送帯域の使用効率を向上させることができるという効果を有するフローラベルを用いた中継制御装置を提供することができるものである。
【発明を実施するための最良の形態】
【００３６】
以下、本発明の実施の形態について、図面を参照しながら説明する。
（実施の形態１）
図１は本発明の実施の形態１におけるフローラベルを用いた中継制御装置のブロック図、図２は本発明の実施の形態１におけるパケットのフォーマット図、図３は本発明の実施の形態１におけるネットワークシステムの構成図である。
【００３７】
図１において、パケット受信部１０１は、フロー識別情報と制御情報として例えば要求帯域情報がヘッダのフローラベルに記述されたパケットを受信するものである。フロー情報抽出部１０２は、受信パケットの送信元アドレスと宛先アドレスとフローラベルのフロー識別情報からなるフロー情報を抽出するものである。管理部１０３は、格納部１０４への情報の格納および格納部１０４が格納する情報の一致検索を管理するものである。格納部１０４は、受信パケットから抽出したフロー情報を格納するものである。制御情報抽出部１０５は、受信パケットのフローラベルに記述された制御情報として例えば要求帯域情報を抽出するものである。制御部１０６は、受信パケットの制御情報として例えば要求帯域情報を用いて送信パケットに対して出力タイミングを制御するものである。パケット送信部１０７は、制御部１０６から出力されたパケットを送信するものである。
【００３８】
図２において、パケット受信部１０１が受信するパケットは、パケットヘッダのフローラベル以外は、ＲＦＣ２４６０のＩＰｖ６パケットと同じであり、フローラベルは、フロー識別情報と制御情報として例えば要求帯域情報からなる。
【００３９】
図３において、パケット送信側の端末装置２０１は、パケットヘッダのフローラベルに、フロー識別情報と、制御情報として例えば要求帯域情報を記述したパケットを送信側の中継制御装置２０２に送信し、中継制御装置２０２は、フロー識別情報と、制御情報として例えば要求帯域情報を用いてパケットに対する制御を行ってパケットをＩＰ網２０３へ送信し、ＩＰ網２０３は、そのパケットを受信側の中継制御装置２０４を介して受信側の端末装置２０５に送信する。端末装置２０１および２０５は、パケットヘッダのフローラベルにフロー識別情報と制御情報が記述されたパケットを中継制御装置２０２または２０４へ送信するパケット送信手段を備え、また、パケットヘッダのフローラベルにフロー識別情報と制御情報が記述されたパケットを中継制御装置２０２または２０４から受信するパケット受信手段を備えている。このネットワークシステムは、このような端末装置と中継制御装置をそれぞれ１つ以上備えている。
【００４０】
次に、本実施の形態１における中継制御装置の動作について説明する。図１において、パケット受信部１０１がパケットを受信し、フロー情報抽出部１０２が受信パケットの送信元アドレスと宛先アドレスとフローラベルのフロー識別情報からなるフロー情報を抽出し、管理部１０３が受信パケットのフロー情報をキーとして格納部１０４の一致するエントリーを検索し、管理部１０３が一致したエントリーのフロー情報を制御部１０６に通知する。一方、制御情報抽出部１０５が受信パケットのフローラベルに記述された制御情報として例えば要求帯域情報を抽出して制御部１０６に通知する。制御部１０６は、通知されたフロー情報に該当するパケットに対して制御情報として例えば要求帯域情報を用いて出力タイミングの制御を行い、パケット送信部１０７がそのパケットを送信する。これにより、予めシグナリング等の方法により事前に制御情報を入手しておくことなく、受信パケットのフローラベルに記述された制御情報に基づいて、制御部１０６がパケットに対する制御を行うことができる。
【００４１】
このように、本実施の形態１によれば、フロー識別情報と制御情報として例えば要求帯域情報がヘッダのフローラベルに記述されたパケットを、パケット受信部１０１が受信し、フロー情報抽出部１０２が受信パケットのフロー情報を抽出し、管理部１０３が格納部１０４への情報の格納および情報の一致検索を管理し、制御情報抽出部１０５が受信パケットのフローラベルに記述された制御情報として例えば要求帯域情報を抽出し、制御部１０６がその要求帯域情報を用いて送信パケットに対して出力タイミングを制御し、パケット送信部１０７がそのパケットを送信するようにしたので、事前に制御情報を入手するためのシグナリング手順を端末装置および中継制御装置に設けることにより発生する処理負荷を低減させることができ、また、制御情報を入手するためのシグナリング手順に用いるパケットの発生をなくすことにより伝送帯域の使用効率を向上させることができる。
【００４２】
なお、本実施の形態１においては、制御部１０６が制御情報として例えば要求帯域情報を用いて送信パケットの出力タイミングを制御する例について説明したが、制御情報として許容遅延情報、許容遅延揺らぎ情報等を用いても同様な作用効果を得ることができる。
（実施の形態２）
次に、本発明の実施の形態２について説明する。本発明の実施の形態２におけるフローラベルを用いた中継制御装置の構成は図１と同じであり、ネットワークシステムの構成も図３と同じなので、構成についての重複した説明は省略する。本発明の実施の形態２が上記実施の形態１と異なるのはパケットのフォーマットである。
【００４３】
図４は本実施の形態２におけるパケットのフォーマットを示し、パケットヘッダのフローラベル以外は、ＲＦＣ２４６０のＩＰｖ６パケットと同じであり、フローラベルは、フロー識別情報と制御命令と制御データからなる。これに伴い、図１において、フロー情報抽出部１０２は、受信パケットの送信元アドレスと宛先アドレスとフローラベルのフロー識別情報を抽出し、管理部１０３は、格納部１０４に対して受信パケットから抽出したフロー識別情報と制御命令と制御データの格納および一致検索を管理し、制御情報抽出部１０５は、受信パケットのフローラベルに記述された制御命令と制御データを抽出する。制御部１０６は、抽出されたフロー識別情報に該当するパケットに対して、制御命令と制御データを用いて制御を行う。
【００４４】
次に、本実施の形態２における中継制御装置の動作について説明する。図１において、パケット受信部１０１がパケットを受信し、フロー情報抽出部１０２が受信パケットの送信元アドレスと宛先アドレスとフローラベルのフロー識別情報を抽出し、管理部１０３が受信パケットのフロー情報をキーとして格納部１０４の一致するエントリーを検索し、管理部１０３が一致したエントリーのフロー情報を制御部１０６に通知する。一方、制御情報抽出部１０５が受信パケットのフローラベルに記述された制御命令として例えば帯域制御命令と、制御データとして例えば要求帯域データを抽出して制御部１０６に通知する。制御部１０６は、帯域制御命令と要求帯域データとを用いて通知されたフロー情報を持つ送信パケットに対して出力タイミング制御を行い、パケット送信部１０７がそのパケットを送信する。これにより、予めシグナリング等の方法により事前に制御命令と制御データを入手しておくことなく、受信パケットのフローラベルに記述された制御命令と制御データに基づいて、制御部１０６が送信パケットに対する出力タイミング制御を行うことができる。
【００４５】
このように、本実施の形態２によれば、フローラベルに制御命令と制御データが記述されたパケットを使用することにより、事前に制御命令と制御データを入手するためのシグナリング手順を端末および中継制御装置に設けることにより発生する処理負荷を低減させるでき、また、制御命令と制御データを入手するためのシグナリング手順に用いるパケットの発生をなくすことにより伝送帯域の使用効率を向上させることができる、
なお、本実施の形態２においては、制御部１０６が制御データとして例えば要求帯域情報を用いて送信パケットの出力タイミングを制御する例について説明したが、制御データとして許容遅延情報、許容遅延揺らぎ情報等を用いても同様な作用効果を得ることができる。
【産業上の利用可能性】
【００４６】
以上のように、本発明に係る中継制御装置と端末装置とネットワークシステムは、処理負荷を低減させ、伝送帯域の使用効率を向上させることができるという効果を有し、ＴＣＰ／ＩＰによるネットワーク技術分野に属するフローラベルを用いた中継制御装置と端末装置とネットワークシステム等として有用である。
【図面の簡単な説明】
【００４７】
【図１】本発明の実施の形態１および実施の形態２におけるフローラベルを用いた中継制御装置のブロック図
【図２】本発明の実施の形態１におけるパケットのフォーマット図
【図３】本発明の実施の形態１および実施の形態２におけるネットワークシステムの構成図
【図４】本発明の実施の形態２におけるパケットのフォーマット図
【図５】従来のフローラベルを用いた中継制御装置のブロック図
【符号の説明】
【００４８】
１０１  パケット受信部
１０２  フロー情報抽出部
１０３  管理部
１０４  格納部
１０５  制御情報抽出部
１０６  制御部
１０７  パケット送信部
２０１  送信側端末装置
２０２  送信側中継制御装置
２０３  ＩＰ網
２０４  受信側中継制御装置
２０５  受信側端末装置
【図１】
2005323164.tif 000003
【図２】
2005323164.tif 000004
【図３】
2005323164.tif 000005
【図４】
2005323164.tif 000006
【図５】
2005323164.tif 000007